(57)【要約】【課題】返血の際、ドナーや患者の血管に穿刺されている中空針が血管から抜けて内出血や内出血痕が生じるのを防止（または抑制）することができる血液処理装置を提供する。【解決手段】血液成分採取装置（血液処理装置）１は、採血・返血ライン２１と、採血・返血ライン２１の一端側に着脱自在に接続された中空針２９１を含む中空針組立体２９とを有する血液成分採取回路２と、採血・返血ライン２１内の血液を送液する血液ポンプ１１と、血液ポンプ１１より中空針２９１側の採血・返血ライン２１内の圧力であるドナー圧を検出するドナー圧センサ１８と、制御手段５５とを備える。制御手段５５は、血液ポンプ１１の作動により血液ポンプ１１側から中空針側へ向かって血液成分を送液して返血を行なう際、ドナー圧センサ１８の検出結果に基づいてドナー圧の上昇速度を求め、その値がしきい値Ａを超えると、血液ポンプ１１を停止させるように構成されている。【選択図】図１
2007020961.tif 000002
【特許請求の範囲】
【請求項１】
ドナーまたは患者から血液を採取して該血液を処理し、処理後の血液または血液成分を前記ドナーまたは患者に返還する血液処理装置であって、
ドナーまたは患者の血管に穿刺される中空針と、前記中空針に連通し、採血および返血を行う血液処理ラインと、前記血液処理ラインに連通する血液処理器とを有する血液処理回路と、
前記血液処理ライン内の血液または血液成分を送液する送液手段と、
前記送液手段より前記中空針側の前記血液処理ライン内の圧力を検出する圧力検出手段と、
前記圧力検出手段の検出結果に基づいて、前記圧力の上昇速度を求める上昇速度検出手段と、
前記送液手段の作動を制御する制御手段とを備え、
前記制御手段は、前記送液手段の作動により前記送液手段側から前記中空針側へ向かって血液または血液成分を送液して返血を行う際に、前記上昇速度検出手段により求められた前記圧力の上昇速度がしきい値Ａを超えると、前記送液手段の作動を停止するように構成されていることを特徴とする血液処理装置。
【請求項２】
前記しきい値Ａは、２０〜８０ｍｍＨｇ／秒の範囲内の値に設定される請求項１に記載の血液処理装置。
【請求項３】
前記制御手段は、前記送液手段が停止してから所定時間内に、前記圧力検出手段により検出された前記圧力が前記返血の開始前の値に戻った場合には、前記送液手段を作動させて前記返血を再開するように構成されている請求項１または２に記載の血液処理装置。
【請求項４】
前記送液手段が停止してから所定時間内に、前記圧力検出手段により検出された前記圧力が前記返血の開始前の値に戻らない場合に、所定の警告情報を報知する第１の報知手段を有する請求項１ないし３のいずれかに記載の血液処理装置。
【請求項５】
前記返血の開始時に前記圧力検出手段により検出された前記圧力をＶ０、前記返血の開始時から所定時間ｔ１後に前記圧力検出手段により検出された前記圧力をＶ１としたとき、前記所定時間ｔ１は、０．１〜５秒の範囲内の値に設定され、
前記上昇速度検出手段は、前記返血の開始直後の前記圧力の上昇速度を下記（１）式から求めるように構成されている請求項１ないし４のいずれかに記載の血液処理装置。
（Ｖ０−Ｖ１）／ｔ１  ・・・（１）式
【請求項６】
前記制御手段は、前記返血を開始する際は、前記血液または血液成分の単位時間当りの流量が所定の加速度α１で所定時間ｔ３の間隔で段階的に増大するように前記送液手段を作動させるように構成されている請求項１ないし５のいずれかに記載の血液処理装置。
【請求項７】
前記制御手段は、前記返血において、前記圧力検出手段により検出された前記圧力が目標値Ｂ未満の場合には、前記血液または血液成分の単位時間当りの流量が所定の加速度α２で所定時間ｔ４の間隔で段階的に増大するように前記送液手段を作動させるように構成されている請求項１ないし６のいずれかに記載の血液処理装置。
【請求項８】
前記制御手段は、前記返血において、前記圧力検出手段により検出された前記圧力が目標値Ｂを超える場合には、前記血液または血液成分の単位時間当りの流量が所定の加速度α３で所定時間ｔ５の間隔で段階的に減少するように前記送液手段を作動させるように構成されている請求項１ないし７のいずれかに記載の血液処理装置。
【請求項９】
前記制御手段は、前記返血において、前記圧力検出手段により検出された前記圧力が目標値Ｂを超える場合には、前記血液または血液成分の単位時間当りの流量が所定の加速度α４で減少するように前記送液手段を作動させ、所定時間内に、前記圧力検出手段により検出された前記圧力が前記目標値Ｂまで減少しない場合には、前記加速度α４の絶対値を増大させるように構成されている請求項１ないし８のいずれかに記載の血液処理装置。
【請求項１０】
前記制御手段は、前記返血において、前記圧力検出手段により検出された前記圧力が許容される上限値以上となった場合には、前記上昇速度検出手段により求められた前記圧力の上昇速度にかかわらず、前記送液手段を停止させるように構成されている請求項１ないし９のいずれかに記載の血液処理装置。
【請求項１１】
当該血液処理装置は、ドナーから血液を採取して前記血液処理器により該血液を分離し、所定の血液成分を採取して、残りの血液成分を前記ドナーに返還する血液成分採取装置であり、
前記血液処理回路は、前記血液処理器により分離された所定の血液成分を採取する血液成分採取バッグを有する請求項１ないし１０のいずれかに記載の血液処理装置。
【請求項１２】
当該血液処理装置は、ドナーから血液を採取して前記血液処理器により該血液を分離し、所定の血液成分を採取する血液成分採取工程と、残りの血液成分を前記ドナーに返還する血液成分返還工程とを有する血液成分採取操作を少なくとも１サイクル行う血液成分採取装置である請求項１ないし１１のいずれかに記載の血液処理装置。
【発明の詳細な説明】
【技術分野】
【０００１】
本発明は、血液処理装置に関するものである。
【背景技術】
【０００２】
採血を行う場合、血液の有効利用およびドナー（供血者）や患者の負担軽減などの理由から、採血血液を遠心分離などにより各血液成分に分離し、輸血者に必要な成分だけを採取し、その他の成分はドナーや患者に返還する成分採血が行われている。
【０００３】
このような成分採血においては、例えば、血漿を採取する場合（血漿製剤を得る場合）、血液成分採取装置を用いて、ドナーや患者から採取した血液を血液成分採取回路に導入し、該血液成分採取回路に設置された遠心ボウルと呼ばれる遠心分離器により、血漿および血球に分離し、そのうちの血漿（所定の血液成分）を血液成分採取バッグに回収して血漿製剤とし、取り残した血漿とともに血球をドナーや患者に返還（返血）することが行われる。すなわち、血漿を採取する場合、血漿を採取する血液成分採取工程と、ドナーや患者へ残りの血液成分（主として血球）を返還する血液成分返還工程（返血工程）とを有する血液成分採取操作が少なくとも１サイクル（通常は、複数サイクル）行われる（例えば、特許文献１参照）。
【０００４】
しかしながら、従来の血液成分採取装置では、返血工程において、常に内出血のリスクを伴うという欠点がある。
【０００５】
この内出血は、返血の際、ドナーや患者の血管に穿刺されている中空針（採血針）が皮下に位置した状態で、血管から抜ける（外れる）ことによって生じる場合と、血管に中空針が穿刺された状態で、血管と中空針の隙間から血液がじわじわと漏れることによって生じる場合との２種類が存在する。
【０００６】
前者（中空針の抜けによる場合）の内出血は、返血開始直後に発生する場合が多く、血液ポンプにより送液された血液成分は、皮下に注入され、これにより、ドナーや患者は、疼痛を訴える。
【０００７】
また、後者（血管と中空針の隙間から漏れる場合）の内出血は、返血の途中に発生する場合が多く、痛みを伴わないため、次サイクルの血液成分採取工程において、穿刺部の腫脹のために、血液の流量が低下することで気付くことが多い。
【０００８】
【特許文献１】特開２００１−１７５４０号公報
【発明の開示】
【発明が解決しようとする課題】
【０００９】
本発明の目的は、返血の際、ドナーや患者の血管に穿刺されている中空針が血管から抜けて内出血や内出血痕が生じるのを防止（または抑制）することができる血液処理装置を提供することにある。
【課題を解決するための手段】
【００１０】
このような目的は、下記（１）〜（２１）の本発明により達成される。
（１）  ドナーまたは患者から血液を採取して該血液を処理し、処理後の血液または血液成分を前記ドナーまたは患者に返還する血液処理装置であって、
ドナーまたは患者の血管に穿刺される中空針と、前記中空針に連通し、採血および返血を行う血液処理ラインと、前記血液処理ラインに連通する血液処理器とを有する血液処理回路と、
前記血液処理ライン内の血液または血液成分を送液する送液手段と、
前記送液手段より前記中空針側の前記血液処理ライン内の圧力を検出する圧力検出手段と、
前記圧力検出手段の検出結果に基づいて、前記圧力の上昇速度を求める上昇速度検出手段と、
前記送液手段の作動を制御する制御手段とを備え、
前記制御手段は、前記送液手段の作動により前記送液手段側から前記中空針側へ向かって血液または血液成分を送液して返血を行う際に、前記上昇速度検出手段により求められた前記圧力の上昇速度がしきい値Ａを超えると、前記送液手段の作動を停止するように構成されていることを特徴とする血液処理装置。
【００１１】
（２）  前記しきい値Ａは、２０〜８０ｍｍＨｇ／秒の範囲内の値に設定される上記（１）に記載の血液処理装置。
【００１２】
（３）  前記制御手段は、前記送液手段が停止してから所定時間内に、前記圧力検出手段により検出された前記圧力が前記返血の開始前の値に戻った場合には、前記送液手段を作動させて前記返血を再開するように構成されている上記（１）または（２）に記載の血液処理装置。
【００１３】
（４）  前記送液手段が停止してから所定時間内に、前記圧力検出手段により検出された前記圧力が前記返血の開始前の値に戻らない場合に、所定の警告情報を報知する第１の報知手段を有する上記（１）ないし（３）のいずれかに記載の血液処理装置。
【００１４】
（５）  前記返血の開始時に前記圧力検出手段により検出された前記圧力をＶ０、前記返血の開始時から所定時間ｔ１後に前記圧力検出手段により検出された前記圧力をＶ１としたとき、前記所定時間ｔ１は、０．１〜５秒の範囲内の値に設定され、
前記上昇速度検出手段は、前記返血の開始直後の前記圧力の上昇速度を下記（１）式から求めるように構成されている上記（１）ないし（４）のいずれかに記載の血液処理装置。
（Ｖ０−Ｖ１）／ｔ１  ・・・（１）式
【００１５】
（６）  前記返血の途中において、前記圧力検出手段により検出された前記圧力をＶ、該圧力の検出時から所定時間ｔ２後に前記圧力検出手段により検出された前記圧力をＶ２としたとき、前記所定時間ｔ２は、前記所定時間ｔ１よりも短い時間に設定され、
前記上昇速度検出手段は、前記返血の途中における前記圧力の上昇速度を下記（２）式から求めるように構成されている上記（５）に記載の血液処理装置。
（Ｖ−Ｖ２）／ｔ２  ・・・（２）式
【００１６】
（７）  前記制御手段は、前記返血の途中において、前記上昇速度検出手段により前記（２）式から求められた前記圧力の上昇速度が、連続して複数回、前記しきい値Ａを超えると、前記送液手段を停止させるように構成されている上記（６）に記載の血液処理装置。
【００１７】
（８）  前記制御手段は、前記返血を開始する際は、前記血液または血液成分の単位時間当りの流量が所定の加速度α１で所定時間ｔ３の間隔で段階的に増大するように前記送液手段を作動させるように構成されている上記（１）ないし（７）のいずれかに記載の血液処理装置。
【００１８】
（９）  前記所定の加速度α１は、１〜３０ｍＬ／分／秒の範囲内の値に設定され、前記所定時間ｔ３は、０．１〜５秒の範囲内の値に設定される上記（８）に記載の血液処理装置。
【００１９】
（１０）  前記返血を開始する際の前記血液または血液成分の単位時間当りの流量の初期値は、１〜６０ｍＬ／分の範囲内の値に設定される上記（７）または（８）に記載の血液処理装置。
【００２０】
（１１）  前記制御手段は、前記返血において、前記圧力検出手段により検出された前記圧力が目標値Ｂ未満の場合には、前記血液または血液成分の単位時間当りの流量が所定の加速度α２で所定時間ｔ４の間隔で段階的に増大するように前記送液手段を作動させるように構成されている上記（１）ないし（１０）のいずれかに記載の血液処理装置。
【００２１】
（１２）  前記所定の加速度α２は、１〜３０ｍＬ／分／秒の範囲内の値に設定され、前記所定時間ｔ４は、０．１〜５秒の範囲内の値に設定される上記（１１）に記載の血液処理装置。
【００２２】
（１３）  前記制御手段は、前記返血において、前記圧力検出手段により検出された前記圧力が目標値Ｂを超える場合には、前記血液または血液成分の単位時間当りの流量が所定の加速度α３で所定時間ｔ５の間隔で段階的に減少するように前記送液手段を作動させるように構成されている上記（１）ないし（１２）のいずれかに記載の血液処理装置。
【００２３】
（１４）  前記所定の加速度α３は、−９０〜−１ｍＬ／分／秒の範囲内の値に設定され、前記所定時間ｔ５は、０．１〜５秒の範囲内の値に設定される上記（１３）に記載の血液処理装置。
【００２４】
（１５）  前記制御手段は、前記圧力検出手段により検出された前記圧力が目標値Ｂを超える場合において、所定時間内に、前記圧力検出手段により検出された前記圧力が前記目標値Ｂまで減少しない場合には、前記加速度α３の絶対値を増大させるように構成されている上記（１３）または（１４）に記載の血液処理装置。
【００２５】
（１６）  前記制御手段は、前記返血において、前記圧力検出手段により検出された前記圧力が目標値Ｂを超える場合には、前記血液または血液成分の単位時間当りの流量が所定の加速度α４で減少するように前記送液手段を作動させ、所定時間内に、前記圧力検出手段により検出された前記圧力が前記目標値Ｂまで減少しない場合には、前記加速度α４の絶対値を増大させるように構成されている上記（１）ないし（１２）のいずれかに記載の血液処理装置。
【００２６】
（１７）  前記制御手段は、前記返血において、前記血液または血液成分の単位時間当りの流量が０ｍＬ／分の状態が所定時間継続し、該所定時間後に前記圧力検出手段により検出された前記圧力が前記目標値Ｂを超える場合に、所定の警告情報を報知する第２の報知手段を有する上記（１３）ないし（１６）のいずれかに記載の血液処理装置。
【００２７】
（１８）  前記目標値Ｂは、１４０〜２４０ｍｍＨｇの範囲内の値に設定される上記（１１）ないし（１７）のいずれかに記載の血液処理装置。
【００２８】
（１９）  前記制御手段は、前記返血において、前記圧力検出手段により検出された前記圧力が許容される上限値以上となった場合には、前記上昇速度検出手段により求められた前記圧力の上昇速度にかかわらず、前記送液手段を停止させるように構成されている上記（１）ないし（１８）のいずれかに記載の血液処理装置。
【００２９】
（２０）  当該血液処理装置は、ドナーまたは患者から血液を採取して前記血液処理器により該血液を分離し、所定の血液成分を採取して、残りの血液成分を前記ドナーまたは患者に返還する血液成分採取装置であり、
前記血液処理回路は、前記血液処理器により分離された所定の血液成分を採取する血液成分採取バッグを有する上記（１）ないし（１９）のいずれかに記載の血液処理装置。
【００３０】
（２１）  当該血液処理装置は、ドナーまたは患者から血液を採取して前記血液処理器により該血液を分離し、所定の血液成分を採取する血液成分採取工程と、残りの血液成分を前記ドナーまたは患者に返還する血液成分返還工程とを有する血液成分採取操作を少なくとも１サイクル行う血液成分採取装置である上記（１）ないし（２０）のいずれかに記載の血液処理装置。
【発明の効果】
【００３１】
本発明によれば、返血の際、送液手段より中空針側の血液処理ライン内の圧力の上昇速度に基づいて、ドナーや患者の血管に穿刺されている中空針が血管から抜けた（外れた）ことを検知する。すなわち、制御手段は、返血の際、前記圧力の上昇速度がしきい値Ａを超えると、ドナーや患者の血管に穿刺されている中空針が血管から抜けたものと判断（推定）し、送液手段を停止させる。
【００３２】
これにより、返血の際、中空針が血管から抜けたことを、初期の段階で迅速かつ確実に検知することができ、これによって、返血の際、中空針が血管から抜けて内出血や内出血痕が生じるのを防止（または抑制）することができ、ドナーや患者の負担を軽減することができる。
【発明を実施するための最良の形態】
【００３３】
以下、本発明の血液処理装置を添付図面に示す好適な実施形態に基づいて詳細に説明する。
【００３４】
なお、本発明の血液処理装置は、ドナー（供血者）または患者から血液を採取して該血液を処理し、処理後の血液または血液成分を前記ドナーまたは患者に返還する血液処理装置であるが、下記の実施形態では、代表的に、本発明の血液処理装置を、ドナーから血液を採取して該血液を分離し、所定の血液成分を採取して、残りの血液成分を前記ドナーに返還する血液成分採取装置に適用した場合について説明する。
【００３５】
図１は、本発明の血液処理装置を、主に血漿を採取する血漿採取装置（血液成分採取装置）に適用した場合の実施形態を示す平面図（一部にブロック図を含む）であり、図２は、図１に示す血液成分採取装置が備える遠心分離器に遠心分離器駆動装置が装着された状態の部分破断断面図であり、図３は、図１に示す血液成分採取装置の返血を開始する際の動作を説明するための図である。
【００３６】
図１に示す血液成分採取装置（血液処理装置）１は、ドナー（供血者）の血管に穿刺される中空針（採血針）２９１を含む中空針組立体（ドナーから血液を採取する採血手段）２９と、採取された血液を貯血空間１４６内にて遠心分離する遠心分離器（遠心ボウル）（血液分離器）２０と、遠心分離器２０により分離された血漿（血液成分）を採取する血漿採取バッグ（血液成分採取バッグ）２５とを備える血液成分採取回路（血液処理回路）２を有し、ドナーから採取した血液を遠心分離し、所定量の血漿を採取した後、残りの血漿とともに白血球、血小板および赤血球（残りの血液成分）をドナーに返還する装置である。なお、前記遠心分離器２０が、採取された血液を処理する血液処理器に相当する。
【００３７】
血液成分採取装置（血液処理装置）１は、中空針組立体２９と、採血ラインおよび返血ラインの双方として兼用される採血・返血ライン（血液処理ライン）２１と、遠心分離器２０と、遠心分離器２０の流出口１４４に接続された採取バッグ側ライン２２と、採血・返血ライン２１に接続された抗凝固剤注入ライン２３と、採取バッグ側ライン２２の途中に接続され、この採取バッグ側ライン２２を介して遠心分離器２０の流出口１４４に連通するエアーバッグ側ライン２４と、採取バッグ側ライン２２と接続された血漿採取バッグ（血液成分採取バッグ）２５と、血漿採取バッグ２５とチューブ（流路）３２ａにより接続されたサブバッグ３２と、エアーバッグ側ライン２４と接続されたエアーバッグ２６とを備える血液成分採取回路（血液処理回路）２を有している。
【００３８】
また、血液成分採取装置１は、遠心分離器２０のローター１４２を回転させるための遠心分離器駆動装置１０と、採血・返血ライン２１内の血液または血液成分を送液する血液ポンプ（送液手段）１１と、抗凝固剤注入ライン２３内の抗凝固剤を送液する抗凝固剤ポンプ１２と、血液成分採取回路２の流路の開閉を行うための第１の流路開閉手段５１および第２の流路開閉手段５２と、遠心分離器駆動装置１０、血液ポンプ１１、抗凝固剤ポンプ１２、第１の流路開閉手段５１および第２の流路開閉手段５２等を制御するための制御手段５５と、濁度センサ１４と、光学式センサ１５と、重量センサ１６と、第１の気泡センサ１７と、第２の気泡センサ３４と、第３の気泡センサ３５と、第４の気泡センサ３６と、第５の気泡センサ３７と、タッチパネル１９とを備えている。
【００３９】
以下、各部の構成について説明する。
中空針組立体２９は、ドナーの血管に穿刺される中空針２９１と、翼２９２と、中空針２９１内に連通するチューブ２９３とを有している。図１中では、中空針２９１には、キャップが被せられている。この中空針組立体２９は、コネクタ３８を介して、採血・返血ライン２１の一端に着脱自在に接続されている。コネクタ３８は、例えばロック付きルアーコネクタで構成される。
【００４０】
採血・返血ライン２１は、中空針組立体２９がコネクタ３８を介して一端に接続された中空針側ライン２１ａと、遠心分離器２０の流入口１４３とを接続された遠心分離器側ライン２１ｂと、これらの間に配置されたポンプチューブ２１ｇとを有している。
【００４１】
中空針側ライン２１ａは、気泡およびマイクロアグリゲート除去のためのチャンバー２１ｄを備える。
【００４２】
チャンバー２１ｄには、チューブ（流路）２１ｈを介して通気性かつ菌不透過性のフィルター２１ｉが接続されている。このラインは、中空針側ライン２１ａの内圧（血液ポンプ１１より中空針２９１側の採血・返血ライン２１の内圧）、すなわちドナー圧を検出するドナー圧センサ（圧力検出手段）１８に接続される。
【００４３】
採取バッグ側ライン２２は、一端が遠心分離器２０の流出口１４４に接続され、他端が血漿採取バッグ２５に接続されている。この採取バッグ側ライン２２の途中には、３つ（３股）に分岐した（接続口は合計４つ）分岐コネクタ６１が設けられており、採取バッグ側ライン２２は、この分岐コネクタ６１を介して接続されている。
【００４４】
分岐コネクタ６１には、チューブ（流路）６２を介して通気性かつ菌不透過性のフィルター６３が接続されている。このラインは、例えば、遠心分離器２０の内圧の検出等に用いることができる。
【００４５】
抗凝固剤注入ライン２３は、一端が採血・返血ライン２１に設けられた接続用分岐コネクタ２１ｃに接続されている。抗凝固剤注入ライン２３は、接続用分岐コネクタ２１ｃ側より、ポンプチューブ２３ａ、除菌フィルター（輸液フィルター）６４、気泡除去用チャンバー２３ｃ、抗凝固剤容器接続用針２３ｄを備えている。図１中では、抗凝固剤容器接続用針２３ｄにキャップが被せられている。
【００４６】
エアーバッグ側ライン２４は、分岐コネクタ６１に接続されている。すなわち、エアーバッグ２６は、このエアーバッグ側ライン２４を介して採取バッグ側ライン２２から分岐して設けられている。
【００４７】
血液ポンプ１１、抗凝固剤ポンプ１２は、それぞれ、ポンプチューブ２１ｇ、２３ａを複数のローラーにより押圧閉塞しつつ回転するローターを有するローラーポンプ（チューブポンプ）で構成されている。
【００４８】
採血・返血ライン２１、採取バッグ側ライン２２、抗凝固剤注入ライン２３およびエアーバッグ側ライン２４の形成に使用されるチューブ、各ポンプチューブ２１ｇ、２３ａ、バッグに接続されているチューブ３２ａ、チャンバー２１ｄに接続されているチューブ２１ｈ、分岐コネクタ６１に接続されているチューブ６２の構成材料としては、ポリ塩化ビニルが好ましい。
【００４９】
各チューブがポリ塩化ビニル製であれば、十分な可撓性、柔軟性が得られるので取り扱いがし易く、また、クレンメ等による閉塞にも適するからである。
【００５０】
なお、各ポンプチューブ２１ｇ、２３ａとしては、ローラーポンプにより押圧されても損傷を受けない程度の強度を備えるものが使用されている。
【００５１】
また、上述した接続用分岐コネクタ２１ｃ、分岐コネクタ６１の構成材料についても、前記チューブの構成材料と同様のものを用いることができる。
【００５２】
血漿採取バッグ２５は、血漿を採取するための容器であり、採取バッグ側ライン２２を介して、遠心分離器２０に接続され、これにより、血漿採取バッグ２５の内部は、ローター１４２の貯血空間１４６に連通している。
【００５３】
サブバッグ３２は、チューブ３２ａを介して血漿採取バッグ２５に接続され、それらの内部同士が連通している。このサブバッグ３２は、例えば、血漿保存バッグ等に用いることができる。
【００５４】
エアーバッグ２６は、一時的に空気（エアー）を収納（貯留）するための容器であり、エアーバッグ側ライン２４を介して、分岐コネクタ６１に接続されている。すなわち、エアーバッグ２６は、エアーバッグ側ライン２４、分岐コネクタ６１および採取バッグ側ライン２２を介して、遠心分離器２０に接続され、これにより、エアーバッグ２６の内部は、ローター１４２の貯血空間１４６に連通している。
【００５５】
これらの血漿採取バッグ２５、サブバッグ３２、エアーバッグ２６は、それぞれ、樹脂製の可撓性を有するシート材を重ね、その周縁部を融着（熱融着、高周波融着等）または接着して袋状にしたものが使用される。
【００５６】
血漿採取バッグ２５、サブバッグ３２、エアーバッグ２６に使用される材料としては、例えば、軟質ポリ塩化ビニルが好適に使用される。
【００５７】
血液成分採取回路２に設けられている遠心分離器２０は、通常、遠心ボウルと呼ばれており、遠心力により血液を血漿と血球（血小板、白血球および赤血球）とに分離する。遠心分離器２０としては、図２に示すものが使用される。
【００５８】
第１の流路開閉手段５１は、エアーバッグ側ライン２４の流路の途中を開閉するために設けられている。
【００５９】
第２の流路開閉手段５２は、分岐コネクタ６１より血漿採取バッグ２５側において採取バッグ側ライン２２の流路の途中を開閉するために設けられている。
【００６０】
第１の流路開閉手段５１および第２の流路開閉手段５２は、ラインもしくはチューブの挿入部を備え、挿入部には、例えば、ソレノイド、電動モーター、シリンダ（油圧または空気圧）等の駆動源で作動するクランプを有する。具体的には、ソレノイドで作動する電磁クランプが好適である。
【００６１】
遠心分離器駆動装置１０は、図２に示すように、遠心分離器２０を収納するハウジング２０１と、脚部２０２と、駆動源であるモータ２０３と、遠心分離器２０を保持する円盤状の固定台２０５とで構成されている。ハウジング２０１は、脚部２０２の上部に載置、固定されている。
【００６２】
また、ハウジング２０１の下面には、ボルト２０６によりスペーサー２０７を介してモータ２０３が固定されている。モータ２０３の回転軸２０４の先端部には、固定台２０５が回転軸２０４と同軸でかつ一体的に回転するように嵌入されており、固定台２０５の上部には、ローター１４２の底部が嵌合する凹部が形成されている。
【００６３】
また、遠心分離器２０の上部１４５は、図示しない固定部材により、ハウジング２０１に固定されている。遠心分離器駆動装置１０では、モータ２０３を駆動すると、固定台２０５およびそれに固定されたローター１４２が、あらかじめ設定された所定の遠心条件（例えば、回転数３０００〜６０００ｒｐｍ）で回転する。この遠心条件により、ローター１４２内の血液の分離パターン（例えば、分離する血液成分数）を設定することができる。
【００６４】
なお、ローター１４２において、貯血空間１４６の容積は、例えば、１００〜３５０ｍＬ程度とされる。
【００６５】
ハウジング２０１には、その側部（図２中、左側）に光学式センサ１５が設置されている。
【００６６】
この光学式センサ１５は、貯血空間１４６に向って投光するとともにその反射光を受光するように構成されている。
【００６７】
光学式センサ１５は、投光部１５１から光（例えばレーザー光）を照射（投光）し、ローター１４２の反射面１４７で反射された反射光を受光部１５２で受光する。そして、受光部１５２においてその受光光量に応じた電気信号に変換される。
【００６８】
ここで、光学式センサ１５は、片面に反射面を有し、光路を変更する反射板１５３を有しており、投光部１５１から照射された光は、反射板１５３を介して反射面１４７に照射され、反射面１４７で反射した光は、反射板１５３を介して受光部１５２で受光されるように構成されている。
【００６９】
このとき、投光光および反射光は、それぞれ、貯血空間１４６内の血液成分を透過するが、血液成分の界面（本実施形態では、血漿層１３１と血球層１３２との界面Ｂ）の位置に応じて、投光光および反射光が透過する位置における各血液成分の存在比が異なるため、それらの透過率が変化する。これにより、受光部１５２での受光光量が変動（変化）し、この変動を受光部１５２からの出力電圧の変化として検出することができる。
【００７０】
すなわち、光学式センサ１５は、受光部１５２での受光光量の変化に基づき、血液成分の界面の位置を検出することができる。
【００７１】
ここで、貯血空間１４６内の血漿層１３１と血球層１３２とは、それぞれ、血液成分により色が異なっており、血球層１３２は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【００７２】
重量センサ１６は、血漿採取バッグ２５内に採取された血漿の採取量を検出する検出手段を構成する。
【００７３】
濁度センサ１４は、採取バッグ側ライン２２中を流れる流体の濁度を検知するためのものであり、濁度に応じた電圧値を出力する。具体的には、濁度が高い時には低電圧値、濁度が低い時には高電圧値を出力する。
【００７４】
この濁度センサ１４により、例えば、採取バッグ側ライン２２中を流れる血漿中への血球の混入等を検出することができる。
【００７５】
第１の気泡センサ１７は、採血・返血ライン２１内に空気が流れたことを検知するためのものである。すなわち、この第１の気泡センサ１７により、採血・返血ライン２１内の血液の有無が検出される。
【００７６】
第４の気泡センサ３６および第５の気泡センサ３７は、それぞれ、気泡が通過したことを検知するためのものである。これらにより、ドナーに空気が注入されることを防止する。
【００７７】
第２の気泡センサ３４は、抗凝固剤注入ライン２３内が空になったことを検出するため、抗凝固剤注入ライン２３の所定の位置における空気（抗凝固剤の有無）の検出に用いられる。
【００７８】
第３の気泡センサ３５は、遠心分離器２０の貯血空間１４６の流出口１４４と分岐コネクタ６１との間の採取バッグ側ライン２２内に空気や血液（血漿）が流れたことを検知するためのものである。すなわち、この第３の気泡センサ３５により、採取バッグ側ライン２２内の血液の有無が検出される。
【００７９】
これらの濁度センサ１４および各気泡センサ１７、３４、３５、３６、３７としては、それぞれ、例えば、超音波センサ、光学式センサ、赤外線センサなどが使用できる。
【００８０】
制御手段５５は、例えば、マイクロコンピューター等で構成されており、遠心分離器駆動装置１０、血液ポンプ１１、抗凝固剤ポンプ１２、第１の流路開閉手段５１、第２の流路開閉手段５２、濁度センサ１４、光学式センサ１５、重量センサ１６、第１の気泡センサ１７、第２の気泡センサ３４、第３の気泡センサ３５、第４の気泡センサ３６、第５の気泡センサ３７、ドナー圧センサ１８およびタッチパネル１９等と、それぞれ、電気的に接続されている。なお、この制御手段５５は、演算部とメモリー（いずれも図示せず）を内蔵している。
【００８１】
この制御手段５５により、ドナー圧センサ１８の検出結果（検出信号）に基づいて、ドナー圧の上昇速度を求める上昇速度検出手段と、血液ポンプ１１の作動（駆動）を制御する血液ポンプ１１の制御手段の主機能が達成される。
【００８２】
タッチパネル１９は、液晶表示パネル、ＥＬ表示パネル等を備えており、オペレーターの指示の入力を受け付ける入力手段（操作手段）としての機能と、各種の情報を表示（報知）する表示手段（第１の報知手段および第２の報知手段）としての機能とを有するものである。なお、入力手段（例えば、操作ボタン、操作スイッチ、操作ダイヤル等）と、液晶表示パネル、ＥＬ表示パネル等の表示手段（第１の報知手段および第２の報知手段）とを、別個に設けるようにしてもよい。
【００８３】
濁度センサ１４、光学式センサ１５、重量センサ１６、第１の気泡センサ１７、第２の気泡センサ３４、第３の気泡センサ３５、第４の気泡センサ３６、第５の気泡センサ３７およびドナー圧センサ１８からの検出信号は、それぞれ、制御手段５５へ随時入力される。また、タッチパネル１９からは、タッチパネル１９に入力されたオペレーターの指示内容に応じた信号が制御手段５５へ随時入力される。制御手段５５は、これらからの各信号に基づき、予め設定されたプログラムに従って、血液成分採取装置１の作動（駆動）、すなわち、血液ポンプ１１、抗凝固剤ポンプ１２の回転、停止、回転方向（正転／逆転）、回転速度を制御するとともに、必要に応じ、各流路開閉手段５１、５２の開閉および遠心分離器駆動装置１０の作動を制御する。なお、後述する返血の際の血液成分の単位時間当りの流量（流速）は、返血の際の血液ポンプ１１の回転速度等から求める（換算する）ことができる。
【００８４】
このような制御手段５５は、ドナーから採取された血液を遠心分離器２０（貯血空間１４６）内に流入させ、遠心分離器２０により分離された血漿を血漿採取バッグ２５内に採取（移送）する血漿採取工程（血液成分採取工程）と、遠心分離器２０内に残った主として血球（残りの血液成分）をドナーへ返還（返血）する返血工程（血球返還工程）（血液成分返還工程）とを有する血漿採取操作（血液成分採取操作）を行うように、血液成分採取装置１の作動を制御する。この血漿採取操作は、少なくとも１回（１サイクル）、通常は、複数回（複数サイクル）行われる。
【００８５】
以下、血液成分採取装置１の使用方法および作用について説明する。
まず、オペレーター（操作者）は、抗凝固剤注入ライン２３と中空針組立体２９とを抗凝固剤でプライミングし、その後、中空針２９１をドナーの血管に穿刺する。これにより、血漿の採取準備を完了する。
【００８６】
次に、オペレーターがタッチパネル１９に表示された採取開始スイッチを押す。これにより、制御手段５５によりプログラムが実行され、血漿採取操作が開始される。血漿採取操作では、血液成分採取装置１は、まず、血漿採取工程を行う。
【００８７】
血漿採取工程では、血液ポンプ１１を図１中時計回りに回転（正転）させて、採血を開始する。同時に、第１の流路開閉手段５１を開放し、第２の流路開閉手段５２を閉塞して、採取バッグ側ライン２２およびエアーバッグ側ライン２４を介して、遠心分離器２０の貯血空間１４６内等の血液成分採取回路２内の空気（滅菌空気）を、エアーバッグ２６内に移送し、収納する。
【００８８】
また、前記採血と同時に、抗凝固剤ポンプ１２を図１中反時計回りに回転させて、抗凝固剤注入ライン２３を介して、例えばＡＣＤ−Ａ液のような抗凝固剤を供給し、この抗凝固剤を採血血液中に添加させる。
【００８９】
これにより、血液（抗凝固剤添加血液）は、採血・返血ライン２１を介して移送され、遠心分離器２０の流入口１４３より管体１４１を経てローター１４２の貯血空間１４６内に導入される。
【００９０】
このとき、遠心分離器２０の貯血空間１４６内の空気は、採取バッグ側ライン２２およびエアーバッグ側ライン２４を介して、エアーバッグ２６内に移送され、収納される。
【００９１】
また、前記採血と同時にまたはこれと前後して、遠心分離器駆動装置１０を作動し、ローター１４２を所定の回転数で回転する。このローター１４２の回転により、貯血空間１４６内に導入された血液は、内側から血漿層（ＰＰＰ層）１３１と血球層１３２の２層に分離される。
【００９２】
さらに、前記採血および前記抗凝固剤の供給を継続し、貯血空間１４６の容量を超える抗凝固剤添加血液が貯血空間１４６内に導入されると、貯血空間１４６内は血液により満たされ、遠心分離器２０の流出口１４４から血漿がオーバーフローする。
【００９３】
次いで、第３の気泡センサ３５により、遠心分離器２０の貯血空間１４６から流出する血漿が検出されると、貯血空間１４６内の空気のエアーバッグ２６内への収納が完了する。
【００９４】
そして、遠心分離器２０からオーバーフローした血漿は、採取バッグ側ライン２２を流れる。
【００９５】
次いで、第１の流路開閉手段５１を閉塞し、第２の流路開閉手段５２を開放し、採取バッグ側ライン２２を介して、遠心分離器２０の貯血空間１４６内の血漿を、血漿採取バッグ２５内に移送し、採取する。
【００９６】
なお、血漿採取バッグ２５は、その重量が重量センサ１６により計測されており、計測された重量信号は制御手段５５に入力される。
【００９７】
血漿採取を終了する場合は、血液ポンプ１１、抗凝固剤ポンプ１２の作動を停止するとともに、遠心分離器駆動装置１０の作動を停止して、遠心分離器２０のローター１４２の回転を停止する。
【００９８】
以上で、血漿採取工程を終了し、返血工程に移行する。この返血工程では、ドナー圧センサ１８によりドナー圧を検出しつつ、血液成分採取回路２（主に、ローター１４２の貯血空間１４６）内に残った血液成分をドナーへ返還する。具体的には、まず、第１の流路開閉手段５１を開放し、第２の流路開閉手段５２を閉塞し、血液ポンプ１１を図１中反時計回りに回転（逆転）させる。
【００９９】
これにより、ローター１４２の貯血空間１４６内の残りの血液成分は、遠心分離器側ライン２１ｂ、中空針側ライン２１ａおよび中空針組立体２９を介して、ドナーへ返還される。
【０１００】
次いで、第１の気泡センサ１７によって空気が検出されると、この返血を終了し、次のサイクルの血漿採取操作の血漿採取工程に移行する。
【０１０１】
本サイクルが最終サイクルの場合には、第５の気泡センサ３７によって空気が検出されると、返血を終了する。これにより、血液成分採取回路２内の残りの血液成分が、ほぼ全てドナーへ返還され、血漿採取操作を終了する。
【０１０２】
この血液成分採取装置１は、返血（返血工程）の際、すなわち、血液ポンプ１１の作動により血液ポンプ１１側から中空針２９１側へ向かって血液成分を送液して返血を行なう際に、制御手段５５が、ドナー圧センサ１８によりドナー圧を検出し、このドナー圧センサ１８の検出結果に基づいて、ドナー圧の上昇速度を求め、求められたドナー圧の上昇速度がしきい値Ａを超えると、ドナーの血管に穿刺されている中空針２９１が血管から抜けた（外れた）ものと判断（推定）し、血液ポンプ１１を停止させ、返血を中断するように構成されていることに特徴を有する。
【０１０３】
なお、ドナー圧が所定のしきい値を超えると、ドナーの血管に穿刺されている中空針２９１が血管から抜けたものと推定する方式の場合には、（１）中空針２９１が血管から抜けたこと（針抜け）を初期の段階で検知することができず、内出血の量が多くなり、また、（２）針抜けの誤検知が頻繁に生じる等の問題があり、特に、しきい値を大きく設定すると、前記（２）の傾向が小さくなる代りに、前記（１）の傾向が大きくなり、逆に、しきい値を小さく設定すると、前記（１）の傾向が小さくなる代りに、前記（２）の傾向が大きくなる。
【０１０４】
これに対して、この血液成分採取装置１では、ドナー圧の上昇速度に基づいて、ドナーの血管に穿刺されている中空針２９１が血管から抜けたか否かを判別するので、中空針２９１が血管から抜けたことを、初期の段階で迅速かつ確実に検知することができ、これにより、返血の際、中空針２９１が血管から抜けて内出血や内出血痕が生じるのを防止（または抑制）することができ、ドナーの負担を軽減することができる。
【０１０５】
以下、この血液成分採取装置１の各特徴（制御手段５５の制御）についてそれぞれ説明する。
【０１０６】
また、以下の説明では、理解を容易にするために、返血の初期と、返血の途中とに分けて説明するが、この両方に属する場合もあり、両方に属する場合は、一方においてのみ説明し、他方においても同様である旨を記載してその説明を省略する。
【０１０７】
また、「返血の初期」には、返血を再開する場合の「初期」も含まれる。すなわち、「返血の開始」には、「返血の再開」も含まれる。
【０１０８】
＜１＞  返血の初期（返血の開始時から、ドナー圧が目標値Ｂに到達するまで）
返血を開始する際は、図３に示すように、血液成分の単位時間当りの流量（流速）が所定の加速度α１で所定時間ｔ３の間隔で段階的（ステップ状）に増大するように、血液ポンプ１１を作動させる。以下、血液成分の単位時間当りの流量を、「流速」とも言う。この流速を増大させる工程は、原則的に、ドナー圧が目標値Ｂに到達するまで行なわれる。なお、ドナー圧の目標値Ｂについては、下記＜２＞で説明する。
【０１０９】
このように、流速を段階的に増大させることにより、流速が一定の時間帯にドナー圧を検出することができ、これによって、より正確にドナー圧を検出することができ、より正確にドナー圧の上昇速度を求めることができる。
【０１１０】
また、返血時の流速を段階的に増大させる場合は、流速を連続的（傾斜状）に増大させる場合に比べ、ドナー圧の上昇速度がしきい値Ａを超えて血液ポンプ１１を停止させる際に生じる内出血の血液量（内出血量）を、より少なくすることができる。すなわち、流速を連続的に増大させる場合でも前記内出血量は、ほとんど影響のない程度（許容される範囲内）であるが、流速を段階的に増大させることにより、前記内出血量をさらに減少させることができる。
【０１１１】
また、前記加速度α１は、１〜３０ｍＬ／分／秒程度の範囲内の値に設定されるのが好ましく、２〜１０ｍＬ／分／秒程度の範囲内の値（例えば、５ｍＬ／分／秒）に設定されるのがより好ましい。
【０１１２】
これにより、円滑に流速を増大させることができ、ドナーの血管に穿刺されている中空針２９１が血管から抜けてしまう（外れてしまう）のを抑制することができるとともに、返血に要する時間を短縮することができる。
【０１１３】
また、前記所定時間ｔ３は、０．１〜５秒程度の範囲内の値に設定されるのが好ましく、０．５〜２秒程度の範囲内の値（例えば、１秒）に設定されるのがより好ましい。
【０１１４】
これにより、流速が一定の時間帯を十分に確保しつつ、円滑に流速を増大させることができる。
【０１１５】
また、流速を段階的に増大する場合の返血を開始する際の血液成分の単位時間当りの流量（流速）の初期値は、１〜６０ｍＬ／分程度の範囲内の値に設定されるのが好ましく、２０〜４０ｍＬ／分程度の範囲内の値（例えば、３０ｍＬ／分）に設定されるのがより好ましい。
【０１１６】
一方、流速を連続的に増大する場合には、初期値は、やや低め（例えば、２５ｍＬ／分）が好ましい。
【０１１７】
これにより、ドナー圧の上昇速度がしきい値Ａを超えて血液ポンプ１１を停止させる際の内出血量を少なくしつつ、返血に要する時間を短縮することができる。
【０１１８】
また、流速の最大値（最高速度）は、ドナー圧の目標値Ｂに到達しなくても、ドナーがクエン酸反応を起こさない範囲で設定されるのが好ましい。具体的には、ドナーによっても異なるが、１０〜１２０ｍＬ／分程度の範囲内の値に設定されるのが好ましく、６０〜１００ｍＬ／分程度の範囲内の値（例えば、９０ｍＬ／分）に設定されるのがより好ましい。なお、この流速の最大値は、返血の初期のみならず、返血全体における値である。
【０１１９】
これにより、血管に中空針２９１が穿刺された状態で血管と中空針２９１の隙間から血液が漏れることを防止しつつ、返血に要する時間を短縮することができる。
【０１２０】
また、ドナー圧センサ１８によりドナー圧を検出し、このドナー圧センサ１８の検出結果に基づいて、ドナー圧の上昇速度を求める。そして、求められたドナー圧の上昇速度としきい値Ａとを比較し、求められたドナー圧の上昇速度がしきい値Ａを超えている場合には、ドナーの血管に穿刺されている中空針２９１が血管から抜けたものと判断し、血液ポンプ１１を停止させ、返血を中断する。
【０１２１】
ここで、ドナー圧の上昇速度が、１回でもしきい値Ａを超えた場合に血液ポンプ１１を停止させるように構成してもよく、また、合計で複数回、しきい値Ａを超えた場合に血液ポンプ１１を停止させるように構成してもよく、また、連続して複数回、しきい値Ａを超えた場合に血液ポンプ１１を停止させるように構成してもよい。この場合、検出後の送液量が０．５ｍＬ以内に停止させることが好ましい。
【０１２２】
本実施形態では、まず、返血の開始直後のドナー圧の上昇速度を求め、求められたドナー圧の上昇速度が、しきい値Ａを超えている場合には、血液ポンプ１１を停止させ、超えていない場合には、所定値まで加速しながら返血を続行するように構成されている。なお、血液ポンプ１１を停止させた場合のその後の動作は、下記＜２＞でまとめて説明する。
【０１２３】
また、前記しきい値Ａは、２０〜８０ｍｍＨｇ／秒程度の範囲内の値に設定されるのが好ましく、３０〜６０ｍｍＨｇ／秒程度の範囲内の値に設定されるのがより好ましい。
【０１２４】
これにより、ドナーの血管に穿刺されている中空針２９１が血管から抜けたことを、より迅速かつ確実に検知することができる。
【０１２５】
また、返血の開始時にドナー圧センサ１８により検出されたドナー圧をＶ０、返血の開始時から所定時間ｔ１後にドナー圧センサ１８により検出されたドナー圧をＶ１としたとき、返血の開始直後のドナー圧の上昇速度は、下記（１）式から求める。
【０１２６】
（Ｖ０−Ｖ１）／ｔ１  ・・・（１）式
この場合、前記所定時間ｔ１は、０．１〜５秒程度の範囲内の値に設定されるのが好ましく、０．５〜２秒程度の範囲内の値（例えば、１秒）に設定されるのがより好ましい。
【０１２７】
所定時間ｔ１が前記下限値よりも短いと、例えば、流速の初期値、加速度α１等の他の条件によっては、ドナーの血管に穿刺されている中空針２９１が血管から抜けたことの検知を誤る場合がある。
【０１２８】
また、所定時間ｔ１が前記上限値よりも長いと、例えば、流速の初期値、加速度α１等の他の条件によっては、ドナー圧の上昇速度がしきい値Ａを超えて血液ポンプ１１を停止させる際の内出血量が多くなる。
【０１２９】
また、本実施形態では、前記返血の開始直後のドナー圧の上昇速度がしきい値Ａを超えておらず、返血を続行する場合、続けて、ドナー圧の上昇速度を求め、求められたドナー圧の上昇速度がしきい値Ａを超えている場合には、血液ポンプ１１を停止させ、超えていない場合には、返血を続行する。以降、このような動作が、繰り返し実行される。
【０１３０】
なお、本発明では、ドナー圧の上昇速度を求める方法は、前記の方法には限定されない。
【０１３１】
また、本実施形態では、返血を開始する際の流速が、段階的に増大するように構成されているが、本発明では、これに限らず、返血を開始する際の流速が、例えば、連続的（傾斜状）に増大するように構成されていてもよい。返血を開始する際の流速を連続的に増大させる場合は、流速を段階的に増大させる場合に比べて、流速の初期値を小さく設定するのが好ましい。
【０１３２】
＜２＞  返血の途中（返血の開始後にドナー圧が目標値Ｂに到達した時または最大流速に到達した時から、所定の気泡センサにより空気が検出されるまで）
ドナー圧センサ１８によりドナー圧を検出し、このドナー圧センサ１８の検出結果に基づいて、ドナー圧の上昇速度を求める。そして、求められたドナー圧の上昇速度としきい値Ａとを比較し、求められたドナー圧の上昇速度がしきい値Ａを超えている場合には、ドナーの血管に穿刺されている中空針２９１が血管から抜けたものと判断し、血液ポンプ１１を停止させ、返血を中断する。しきい値Ａは、前記＜１＞で説明した通りである。
【０１３３】
ここで、ドナー圧の上昇速度が、１回でもしきい値Ａを超えた場合に血液ポンプ１１を停止させるように構成してもよく、また、合計で複数回、しきい値Ａを超えた場合に血液ポンプ１１を停止させるように構成してもよく、また、連続して複数回、しきい値Ａを超えた場合に血液ポンプ１１を停止させるように構成してもよい。
【０１３４】
本実施形態では、返血の途中において、常に、ドナー圧の上昇速度を求め、そのドナー圧の上昇速度が、連続して複数回（例えば、３回）、しきい値Ａを超えた場合に血液ポンプ１１を停止させ、連続して複数回、しきい値Ａを超えない場合は、返血を続行するように構成されている。これにより、ドナーの血管に穿刺されている中空針２９１が血管から抜けたことの誤検知をより確実に防止することができる。
【０１３５】
また、返血の途中において、ドナー圧センサ１８により検出されたドナー圧をＶ、このドナー圧の検出時から所定時間ｔ２後にドナー圧センサ１８により検出されたドナー圧をＶ２としたとき、返血の途中におけるドナー圧の上昇速度は、下記（２）式から求める。
【０１３６】
（Ｖ−Ｖ２）／ｔ２  ・・・（２）式
この場合、初速度に比べて高い速度で返血しているので、前記所定時間ｔ２は、前記所定時間ｔ１よりも短い時間に設定されるのが好ましい。具体的には、所定時間ｔ２は、０．０２〜２秒程度の範囲内の値に設定されるのが好ましく、０．２〜０．４秒程度の範囲内の値に設定されるのがより好ましい。
【０１３７】
これにより、ドナー圧の上昇速度がしきい値Ａを超えて血液ポンプ１１を停止させる際の内出血量を少なくすることができる。
【０１３８】
なお、本発明では、ドナー圧の上昇速度を求める方法は、前記の方法には限定されない。
【０１３９】
また、前記血液ポンプ１１を停止させて返血を中断した場合は、血液ポンプ１１が停止してから所定時間内に、ドナー圧が返血の開始直前（開始前）の値に戻った場合には、血液ポンプ１１を作動させて返血を再開する。前記所定時間は、０．１〜１０秒程度の範囲内の値に設定されるのが好ましく、２〜８秒程度の範囲内の値（例えば、５秒）に設定されるのがより好ましい。
【０１４０】
前記ドナーの血管に穿刺されている中空針２９１が血管から抜けたことの検知が誤検知である場合は、血液ポンプ１１が停止してから所定時間内にドナー圧が返血の開始直前の値に戻るので、前記の構成により、中空針２９１が血管から抜けたことを誤検知しても、自動的に、安全かつ確実に、返血を再開することができる。
【０１４１】
一方、血液ポンプ１１が停止してから前記所定時間内に、ドナー圧が返血の開始直前（開始前）の値に戻らない場合は、血液ポンプ１１を停止させた状態で、タッチパネル１９に、所定の警告情報を表示する。この警告情報としては、例えば、ドナーの血管に穿刺されている中空針２９１が血管から抜けたことを示す情報等が挙げられる。
【０１４２】
これにより、オペレーターは、ドナーの血管に穿刺されている中空針２９１が血管から抜けたことを、容易かつ確実に把握することができる。
【０１４３】
なお、前記血液ポンプ１１を停止させて返血を中断した後の動作は、前記返血の初期においても同様である。
【０１４４】
また、返血の途中においては、血液ポンプ１１の作動を制御し、ドナー圧を可及的に目標値Ｂに一致させる。
【０１４５】
この目標値Ｂは、１４０〜２４０ｍｍＨｇの範囲内の値に設定されるのが好ましく、１７０〜２３０ｍｍＨｇの範囲内の値に設定されるのがより好ましい。
【０１４６】
これにより、血管に中空針２９１が穿刺された状態で血管と中空針２９１の隙間から血液が漏れることを防止しつつ、返血に要する時間を短縮することができる。
【０１４７】
具体的には、ドナー圧と目標値Ｂとを比較し、ドナー圧が目標値Ｂ未満の場合には、血液成分の単位時間当りの流量（流速）が所定の加速度α２で所定時間ｔ４の間隔で段階的（ステップ状）に増大するように、血液ポンプ１１を作動させる。
【０１４８】
このように、流速を段階的に増大させることにより、流速が一定の時間帯にドナー圧を検出することができ、これによって、より正確にドナー圧を検出することができ、より正確にドナー圧の上昇速度を求めることができる。
【０１４９】
また、前記加速度α２は、１〜３０ｍＬ／分／秒程度の範囲内の値に設定されるのが好ましく、２〜１０ｍＬ／分／秒程度の範囲内の値（例えば、５ｍＬ／分／秒）に設定されるのがより好ましい。
【０１５０】
これにより、円滑に流速を増大させることができ、ドナーの血管に穿刺されている中空針２９１が血管から抜けてしまうのを抑制することができるとともに、ドナー圧が目標値Ｂに一致するまでに要する時間を短縮することができる。
【０１５１】
また、前記所定時間ｔ４は、０．１〜５秒程度の範囲内の値に設定されるのが好ましく、０．５〜２秒程度の範囲内の値（例えば、１秒）に設定されるのがより好ましい。
【０１５２】
これにより、流速が一定の時間帯を十分に確保しつつ、円滑に流速を増大させることができる。
【０１５３】
また、ドナー圧と目標値Ｂとを比較し、ドナー圧が目標値Ｂを超える場合には、血液成分の単位時間当りの流量（流速）が所定の加速度α３で所定時間ｔ５の間隔で段階的に減少するように前記血液ポンプを作動させる。
【０１５４】
このように、流速を段階的に減少させることにより、流速が一定の時間帯にドナー圧を検出することができ、これによって、より正確にドナー圧を検出することができ、より正確にドナー圧の上昇速度を求めることができる。
【０１５５】
また、前記加速度α３は、−９０〜−１ｍＬ／分／秒程度の範囲内の値に設定されるのが好ましく、−８〜−２ｍＬ／分／秒程度の範囲内の値（例えば、−５ｍＬ／分／秒）に設定されるのがより好ましい。
【０１５６】
これにより、円滑に流速を減少させることができるとともに、ドナー圧が目標値Ｂに一致するまでに要する時間を短縮することができる。
【０１５７】
また、前記所定時間ｔ５は、０．１〜５秒程度の範囲内の値に設定されるのが好ましく、０．５〜２秒程度の範囲内の値（例えば、１秒）に設定されるのがより好ましい。
【０１５８】
これにより、流速が一定の時間帯を十分に確保しつつ、円滑に流速を減少させることができる。
【０１５９】
また、ドナー圧が目標値Ｂを超える場合において、減速を開始してから所定時間内に、ドナー圧が目標値Ｂまで減少しない場合には、前記加速度α３の絶対値を増大させる。この動作は、繰り返し実行される。また、前記所定時間は、０．１〜２秒程度の範囲内の値に設定されるのが好ましく、０．２〜０．４秒程度の範囲内の値（例えば、０．３秒）に設定されるのがより好ましい。
【０１６０】
これにより、ドナー圧が目標値Ｂに一致するまでに要する時間をさらに短縮することができる。
【０１６１】
また、前記加速度α３の絶対値を増大させる場合の絶対値の増加分（増加値）は、１〜１５ｍＬ／分／秒程度の範囲内の値に設定されるのが好ましく、２〜８ｍＬ／分／秒程度の範囲内の値（例えば、５ｍＬ／分／秒）に設定されるのがより好ましい。
【０１６２】
これにより、円滑に流速を減少させることができるとともに、ドナー圧が目標値Ｂに一致するまでに要する時間をより一層短縮することができる。
【０１６３】
なお、本実施形態では、ドナー圧が目標値Ｂ未満の場合、流速を段階的に増大させるように構成されているが、本発明では、これに限らず、流速を、例えば、連続的（傾斜状）に増大させるように構成されていてもよい。
【０１６４】
また、本実施形態では、ドナー圧が目標値Ｂを超える場合、流速を段階的に減少させるように構成されているが、本発明では、これに限らず、流速を、例えば、連続的（傾斜状）に減少させるように構成されていてもよい。
【０１６５】
また、流速を減少させてゆき、流速が０ｍＬ／分となった場合、すなわち、血液ポンプ１１が停止した場合は、流速が０ｍＬ／分の状態が所定時間継続し、かつ、流速が０ｍＬ／分となってから前記所定時間後に、ドナー圧が目標値Ｂを超えている場合は、血液ポンプ１１を停止させた状態で、タッチパネル１９に、所定の警告情報を表示する。この警告情報としては、例えば、中空針２９１内の血液成分が凝固し、中空針２９１が詰まる可能性があることを示す情報等が挙げられる。また、前記所定時間は、０．１〜１０秒程度の範囲内の値に設定されるのが好ましく、２〜８秒程度の範囲内の値（例えば、５秒）に設定されるのがより好ましい。
【０１６６】
これにより、オペレーターは、血液成分の凝固により中空針２９１が詰まる可能性があることを、容易かつ確実に把握することができる。
【０１６７】
また、ドナー圧とドナー圧の許容される上限値とを比較し、ドナー圧が前記上限値以上となった場合には、ドナー圧の上昇速度の大小（大きさ）にかかわらず、血液ポンプ１１を停止させ、返血を中断する。前記上限値は、２４０〜２８０ｍｍＨｇ程度の範囲内の値に設定されるのが好ましく、２５０〜２７０ｍｍＨｇ程度の範囲内の値（例えば、２６０ｍｍＨｇ）に設定されるのがより好ましい。
【０１６８】
ドナー圧が前記上限値以上となる場合は、例えば、血液成分の凝固により中空針２９１が詰まった場合や、採血・返血ライン２１のいずれかの流路が閉じられた場合等のエラーが生じていることが多く、前記の構成により、安全性が向上する。
【０１６９】
また、前記ドナー圧が前記上限値以上となった場合には、さらに、タッチパネル１９に、所定の警告情報を表示する。この警告情報としては、例えば、血液成分の凝固により中空針２９１が詰まったか、または、採血・返血ライン２１のいずれかの流路が閉じられた等のエラーが生じていることを示す情報等が挙げられる。
【０１７０】
これにより、オペレーターは、前記エラーが生じていることを、容易かつ確実に把握することができる。
【０１７１】
以上説明したように、この血液成分採取装置１によれば、ドナー圧の上昇速度に基づいて、ドナーの血管に穿刺されている中空針２９１が血管から抜けたか否かを判別するので、中空針２９１が血管から抜けたことを、初期の段階で迅速かつ確実に検知することができ、これにより、返血の際、中空針２９１が血管から抜けて内出血や内出血痕が生じるのを防止（または抑制）することができ、ドナーの負担を軽減することができる。
【０１７２】
以上、本発明の血液処理装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０１７３】
なお、本発明は、血漿製剤（または血漿分画製剤の原料血漿）を得るのに適用する場合に限らず、例えば、血液中から、血小板製剤、赤血球製剤、白血球製剤等を得る場合に適用してもよい。すなわち、本発明では、血液成分採取バッグに採取される血液成分は、血漿に限らず、例えば、血小板（血漿を含む血小板）、赤血球（血漿を含む赤血球）、白血球（血漿を含む白血球）等であってもよい。
【０１７４】
また、本発明は、血液成分採取バッグを複数有し、複数の血液成分を採取し得るように構成されていてもよい。
【０１７５】
また、上述した実施形態では、採血ラインおよび返血ラインが一体となったいわゆる間歇式（一針式とも呼ばれる）の血液成分採取装置に本発明を適用した場合について説明したが、本発明は、この方式のものに限らず、例えば、採血ラインと返血ラインとが別個に設けられたいわゆる連続式（二針式または両腕式とも呼ばれる）の血液成分採取装置にも適用することができる。
【０１７６】
また、本発明では、光学式センサは、図示のものに限定されず、例えば、ラインセンサ等であってもよい。
【０１７７】
また、本発明では、血液分離器は、遠心型のものに限定されず、例えば、膜型等のものであってもよい。
【０１７８】
また、本発明は、血液成分採取装置に限らず、ドナーまたは患者から血液を採取して該血液を処理し、処理後の血液または血液成分を前記ドナーまたは患者に返還する種々の血液処理装置に適用することができる。そして、本発明の血液処理装置においては、制御手段は、送液手段の作動により送液手段側から中空針側へ向かって血液または血液成分を送液して返血を行う際に、上昇速度検出手段により求められた圧力の上昇速度がしきい値Ａを超えると、送液手段の作動を停止する。
【図面の簡単な説明】
【０１７９】
【図１】本発明の血液処理装置を、主に血漿を採取する血漿採取装置（血液成分採取装置）に適用した場合の実施形態を示す平面図（一部にブロック図を含む）である。
【図２】図１に示す血液成分採取装置が備える遠心分離器に遠心分離器駆動装置が装着された状態の部分破断断面図である。
【図３】図１に示す血液成分採取装置の返血を開始する際の動作を説明するための図である。
【符号の説明】
【０１８０】
１              血液成分採取装置
２              血液成分採取回路
１０            遠心分離器駆動装置
１１            血液ポンプ
１２            抗凝固剤ポンプ
１４            濁度センサ
１５            光学式センサ
１５１          投光部
１５２          受光部
１５３          反射板
１６            重量センサ
１７            第１の気泡センサ
１８            ドナー圧センサ
１９            タッチパネル
２０            遠心分離器
２１            採血・返血ライン
２１ａ          中空針側ライン
２１ｂ          遠心分離器側ライン
２１ｃ          接続用分岐コネクタ
２１ｄ          チャンバー
２１ｇ          ポンプチューブ
２１ｈ          チューブ
２１ｉ          フィルター
２２            採取バッグ側ライン
２３            抗凝固剤注入ライン
２３ａ          ポンプチューブ
２３ｃ          気泡除去用チャンバー
２３ｄ          抗凝固剤溶器接続用針
２４            エアーバッグ側ライン
２５            血漿採取バッグ
２６            エアーバッグ
２９            中空針組立体
２９１          中空針
２９２          翼
２９３          チューブ
３２            サブバッグ
３２ａ          チューブ
３４            第２の気泡センサ
３５            第３の気泡センサ
３６            第４の気泡センサ
３７            第５の気泡センサ
３８            コネクタ
５１            第１の流路開閉手段
５２            第２の流路開閉手段
５５            制御手段
６１            分岐コネクタ
６２            チューブ
６３            フィルター
６４            除菌フィルター
１３１          血漿層
１３２          血球層
１４１          管体
１４２          ローター
１４３          流入口
１４４          流出口
１４５          上部
１４６          貯血空間
１４７          反射面
２０１          ハウジング
２０２          脚部
２０３          モータ
２０４          回転軸
２０５          固定台
２０６          ボルト
２０７          スペーサー
【図１】
2007020961.tif 000003
【図２】
2007020961.tif 000004
【図３】
2007020961.tif 000005